(57)【要約】【課題】一方向へのレバーの傾倒操作によって処理動作の二段切換え（例えばズーム速度の二段切換え）を可能とするのに好適なレバースイッチを提供する。【解決手段】レバースイッチＬＳは、共通接点５から個別接点６１、６２までの接点間距離が短い第１のスイッチ部３Ａと、その接点間距離が長い第２のスイッチ部３Ｂとを具備し、レバー４を一の方向へ傾倒させたら、最初に、接点間距離の短い第１のスイッチ部３Ａにおける一方の可動接点７１が同スイッチ部３Ａの一方の個別接点６１に接触（先行接触動作）することによって、その個別接点６１が同スイッチ部３Ａの接点ブラシ７Ａを介して共通接点５に導通してスイッチＯＮの状態になる。そして、これに遅れて、接点間距離の長い第２のスイッチ部３Ｂにおける一方の可動接点７３が同スイッチ部３Ｂの一方の個別接点６３に接触（遅延接触動作）することによって、その個別接点６３が同スイッチ部３Ｂの接点ブラシ７Ｂを介して共通接点５に導通してスイッチＯＮの状態になる。【選択図】図２
2011086550.tif 000002
【特許請求の範囲】
【請求項１】
凹部を有するスイッチベースと、
前記凹部上面に取り付けたトップケースと、
前記凹部内に収容された第１及び第２のスイッチ部と、
前記両スイッチ部を同時に操作するためのレバーと、を備え、
前記スイッチベースはその凹部内に軸受溝を有し、
前記トップケースはその表裏面を貫通するスリット孔を有し、
前記第１及び第２のスイッチ部は、両スイッチ部で共通に使用する共通接点を前記凹部の内底面に備えてなるともに、それぞれのスイッチ部ごとに、前記スリット孔の長手方向に沿って前記共通接点の両側に一つずつ配置した２つの個別接点と、これらの接点上に配置した接点ブラシとを有し、
前記共通接点から個別接点までの接点間距離は、前記第１のスイッチ部の方が短く、前記第２のスイッチ部の方が長く設けられており、
前記第１及び第２のスイッチ部の接点ブラシは、バネ性のある細長の金属片を略逆三角形状に折り曲げ、その逆三角形状の底辺部が前記スリット孔の方向を向くように設置してなるとともに、その逆三角形状の他の二辺部が前記凹部の内底面上で交差し、この交差する二辺部の両端を２つの可動接点とするものであり、
前記レバーは、そのレバー上端が前記トップケースのスリット孔から外部に突出し、そのレバー下端側に、前記凹部内の軸受溝で支持される軸部と、前記各スイッチ部の接点ブラシの底辺部に当接する押圧カム部とを備えるとともに、前記軸部を支点として前記スリット孔の長手方向に傾倒可能に設けられ、
前記レバーを一の方向へ傾倒させたら、
前記両スイッチ部における接点ブラシの底辺部片側が該レバーの押圧カム部で同時に押されて下降するとともに、各スイッチ部における一方の可動接点が共通接点から同時に外れてそれぞれのスイッチ部における一方の個別接点に向ってスライドし、
最初に、接点間距離の短い第１のスイッチ部における一方の可動接点が同スイッチ部の一方の個別接点に接触することによって、同スイッチ部における一方の個別接点が同スイッチ部の接点ブラシを介して共通接点に導通してスイッチＯＮの状態になり、
これに遅れて、接点間距離の長い第２のスイッチ部における一方の可動接点が同スイッチ部の一方の個別接点に接触することによって、同スイッチ部における一方の個別接点が同スイッチ部の接点ブラシを介して共通接点に導通してスイッチＯＮの状態になること
を特徴とするレバースイッチ。
【請求項２】
前記押圧カム部は、断面半月形状であって、その半月のフラット部が前記接点ブラシの底辺部に当接するとともに、その半月の円弧部とフラット部との境の肩部で前記接点ブラシの底辺部片側を押圧すること
を特徴とする請求項１に記載のレバースイッチ。
【発明の詳細な説明】
【技術分野】
【０００１】
本発明は、例えば、デジタルカメラやデジタルビデオカメラのズーム操作スイッチ等として利用できるレバースイッチに関し、特に、一方向へのレバーの傾倒操作によって処理動作の二段切換え（例えばズーム速度の二段切換え等）を可能としたものである。
【背景技術】
【０００２】
近年のデジタルカメラやデジタルビデオカメラには被写体を拡大するズーム機能が設けられており、このズーム機能に基づく被写体のズームアップやズームダウンはズームスイッチの操作により行われている。
【０００３】
前記のようなズームスイッチとしては、例えば特許文献１に記載のレバースイッチが使用されている。このレバースイッチは、同文献の図７（ａ）（ｂ）に示されている通り、共通接点（３Ａ）の左右に一つずつ個別接点（３Ｂ、３Ｃ）を備えていて、レバー（５）を同図（ａ）のように左側に倒すと、右側の可動接点（４Ａ）が共通接点（３Ａ）から外れて右側の個別接点（３Ｂ）に接触することで、右側の個別接点（３Ｂ）がスイッチＯＮの状態になる。これとは逆にレバー（５）を右側に倒したら、左側の可動接点（４Ｂ）が共通接点（３Ａ）から外れて左側の個別接点（３Ｃ）に接触することで、左側の個別接点（３Ｃ）がスイッチＯＮになるというものである。
【０００４】
前記特許文献１に記載のレバースイッチでは、例えば、右側の個別接点（３Ｂ）がスイッチＯＮの状態になったらズームアップを行い、左側の個別接点（３Ｃ）がスイッチＯＮの状態になったらズームダウンを行う等、デジタルカメラやデジタルビデオカメラのズーム操作を行うことができる。
【０００５】
しかしながら、同文献１に記載のレバースイッチによると、その構造上、左右方向へのレバー（５）の傾倒によってそれぞれの方向で１回ずつのＯＮ／ＯＦＦ状態しか得られないので、例えばレバー（５）を左側に少し倒したら低速度でズームアップし、同方向に更に深く当該レバー（５）を倒したら高速度でズームアップする等、一方向へのレバーの傾倒操作によってズーム速度の二段切換えを行うことはできず、デジタルカメラやデジタルビデオカメラの利便性向上は図れない。
【０００６】
以上の説明においてカッコ内の符号は特許文献１で用いられている符号である。
【先行技術文献】
【特許文献】
【０００７】
【特許文献１】特開２００８−２７７３０４号公報
【発明の概要】
【発明が解決しようとする課題】
【０００８】
本発明は前記問題点を解決するためになされたものであり、その目的は、一方向へのレバーの傾倒操作によって処理動作の二段切換え（例えばズーム速度の二段切換え）を可能とするのに好適なレバースイッチを提供することである。
【課題を解決するための手段】
【０００９】
前記目的を達成するために、本発明は、凹部を有するスイッチベースと、前記凹部上面に取り付けたトップケースと、前記凹部内に収容された第１及び第２のスイッチ部と、前記両スイッチ部を同時に操作するためのレバーと、を備え、前記スイッチベースはその凹部内に軸受溝を有し、前記トップケースはその表裏面を貫通するスリット孔を有し、前記第１及び第２のスイッチ部は、両スイッチ部で共通に使用する共通接点を前記凹部の内底面に備えてなるともに、それぞれのスイッチ部ごとに、前記スリット孔の長手方向に沿って前記共通接点の両側に一つずつ配置した２つの個別接点と、これらの接点上に配置した接点ブラシとを有し、前記共通接点から個別接点までの接点間距離は、前記第１のスイッチ部の方が短く、前記第２のスイッチ部の方が長く設けられており、前記第１及び第２のスイッチ部の接点ブラシは、バネ性のある細長の金属片を略逆三角形状に折り曲げ、その逆三角形状の底辺部が前記スリット孔の方向を向くように設置してなるとともに、その逆三角形状の他の二辺部が前記凹部の内底面上で交差し、この交差する二辺部の両端を２つの可動接点とするものであり、前記レバーは、そのレバー上端が前記トップケースのスリット孔から外部に突出し、そのレバー下端側に、前記凹部内の軸受溝で支持される軸部と、前記各スイッチ部の接点ブラシの底辺部に当接する押圧カム部とを備えるとともに、前記軸部を支点として前記スリット孔の長手方向に傾倒可能に設けられ、前記レバーを一の方向へ傾倒させたら、前記両スイッチ部における接点ブラシの底辺部片側が該レバーの押圧カム部で同時に押されて下降するとともに、各スイッチ部における一方の可動接点が共通接点から同時に外れてそれぞれのスイッチ部における一方の個別接点に向ってスライドし、最初に、接点間距離の短い第１のスイッチ部における一方の可動接点が同スイッチ部の一方の個別接点に接触することによって、同スイッチ部における一方の個別接点が同スイッチ部の接点ブラシを介して共通接点に導通してスイッチＯＮの状態になり、これに遅れて、接点間距離の長い第２のスイッチ部における一方の可動接点が同スイッチ部の一方の個別接点に接触することによって、同スイッチ部における一方の個別接点が同スイッチ部の接点ブラシを介して共通接点に導通してスイッチＯＮの状態になることを特徴とする。
【００１０】
前記本発明において、前記押圧カム部は、断面半月形状であって、その半月のフラット部が前記接点ブラシの底辺部に当接するとともに、その半月の円弧部とフラット部との境の肩部で前記接点ブラシの底辺部片側を押圧するように構成することができる。
【発明の効果】
【００１１】
本発明にあっては、レバースイッチの具体的構成として、共通接点から個別接点までの接点間距離が短い第１のスイッチ部と、接点間距離が長い第２のスイッチ部とを設けるとともに、レバーを一の方向へ傾倒させたら、最初に、接点間距離の短い第１のスイッチ部における一方の可動接点が同スイッチ部の一方の個別接点に接触（先行接触動作）することによって、同スイッチ部における一方の個別接点が同スイッチ部の接点ブラシを介して共通接点に導通してスイッチＯＮの状態になる。そして、これに遅れて、接点間距離の長い第２のスイッチ部における一方の可動接点が同スイッチ部の一方の個別接点に接触（遅延接触動作）することによって、同スイッチ部における一方の個別接点が同スイッチ部の接点ブラシを介して共通接点に導通してスイッチＯＮの状態になる。このため、一の方向へのレバーの傾倒によって２回のスイッチＯＮ状態が得られるから、一方向へのレバーの傾倒操作によって処理動作の二段切換えを行うことが可能となる。
【００１２】
例えば、本発明に係るレバースイッチをズーム機能付デジタルカメラやデジタルビデオカメラで採用した場合は、レバーを左側に少し倒したら低速度でズームアップし、同方向に更に深く当該レバーを倒したら高速度でズームアップする等、一方向へのレバーの傾倒操作によってズーム速度の二段切換えを行うことができ、デジタルカメラやデジタルビデオカメラの利便性向上を図れる。
【図面の簡単な説明】
【００１３】
【図１】図１は本発明の一実施形態であるレバースイッチの外観図であって、（ａ）はレバースイッチの正面外観図、（ｂ）はレバースイッチの側面外観図である。
【図２】図２は本発明の一実施形態であるレバースイッチの詳細図であって、同図中の（ａ）はトップケースを取り外したレバースイッチの上面図、（ｂ）はトップケースと接点ブラシを取り外したレバースイッチの上面図、（ｃ）は（ａ）中のＡ−Ａ断面図、（ｄ）は（ａ）中のＢ−Ｂ断面図である。
【図３】図３はスイッチベースの詳細図であって、同図中の（ａ）はスイッチベースの正面図、（ｂ）はその上面図、（ｃ）はその背面図、（ｄ）はその側面図、（ｅ）は同図（ｂ）中のＢ−Ｂ断面図、（ｆ）は同図（ｂ）中のＡ−Ａ断面図である。
【図４】図４はスイッチベースに組込む前の共通接点および個別接点の平面図である。
【図５】図５はトップケースの詳細図であって、同図中の（ａ）はトップケースの正面図、（ｂ）はその上面図、（ｃ）はその背面図、（ｄ）はその側面図、（ｅ）は同図（ｂ）中のＢ−Ｂ断面図、（ｆ）は同図（ｂ）中のＡ−Ａ断面図である。
【図６】図６はレバーの説明図であって、同図中の（ａ）はレバーの正面図、（ｂ）はその平面図、（ｃ）は側面図である。
【図７】図７はレバースイッチの動作説明図であり、同図中の（ａ１）はレバーに外力が作用していない場合において、第１のスイッチ部における２つの個別接点がいずれもスイッチＯＦＦとなっている状態を示し、（ａ２）は（ａ１）と同様の場合において、第２のスイッチ部における２つの個別接点がいずれもスイッチＯＦＦとなっている状態を示している。（ｂ１）はレバーを左に所定角度傾けた場合において、第１のスイッチ部における一方の個別接点がスイッチＯＮとなった状態を示し、（ｂ２）は（ｂ１）と同様の場合において、第２のスイッチ部における一方の個別接点がスイッチＯＦＦになっている状態を示している。（ｃ１）は（ｂ１）よりもレバーを更に深く左に傾けた場合において、第１のスイッチ部における一方の個別接点がスイッチＯＮを維持している状態を示し、（ｃ２）は（ｃ１）と同様の場合において、初めて第２のスイッチ部における一方の個別接点がスイッチＯＮになった状態を示している。
【図８】図８はレバースイッチの動作説明図であり、（ｄ１）はレバーを左に最大に傾けた状態において、第１のスイッチ部における一方の個別接点がスイッチＯＮを維持している状態を示し、（ｄ２）は（ｄ１）と同様の場合において、第２のスイッチ部における一方の個別接点がスイッチＯＮを維持している状態を示している。
【発明を実施するための形態】
【００１４】
以下、本発明を実施するための最良の形態について、添付した図面を参照しながら詳細に説明する。
【００１５】
図１は本発明の一実施形態であるレバースイッチの外観図、図２は本発明の一実施形態であるレバースイッチの詳細図である。
【００１６】
図１に示す本レバースイッチＬＳは、図２（ｃ）（ｄ）のように凹部１Ａを有するスイッチベース１と、凹部１Ａ上面に取り付けたトップケース２と、凹部１Ａ内に収容された第１及び第２のスイッチ部３Ａ、３Ｂと、両スイッチ部３Ａ、３Ｂを同時に操作するためのレバー４とを備えて構成される。
【００１７】
＜スイッチベースの詳細構成＞
図３はスイッチベースの詳細図である。前記スイッチベース１は、図３（ｅ）（ｆ）のように凹部１Ａ内に仕切り壁１Ｂを形成した構造になっていて、この仕切り壁１Ｂの上縁中央部に軸受溝１Ｃを形成することにより、当該凹部１Ａ内に軸受溝１Ｃが設けられるように構成してある。
【００１８】
軸受溝１Ｃの両側にはストッパ溝１Ｄを設けている。このストッパ溝１Ｄは、後述する押圧カム部４１の肩部４Ｃ（図６参照）の形状に合わせて仕切り壁１Ｂの上縁を切り欠き形成したもので、本レバースイッチＬＳでは、かかるストッパ溝１Ｄに後述する押圧カム部４１の肩部４Ｃが当接することによって（図８（ｄ１）（ｄ２）参照）、レバー４の傾倒角度を制限し、当該レバー４の過度な傾倒によるトップケース２の破損などを防止するように構成している。
【００１９】
スイッチベース１の長手方向両側面には、図３（ａ）（ｂ）（ｃ）のように、凹部１Ａ上面にトップケース２を取り付けるための係合突起１Ｅを形成してある。図３（ｃ）（ｄ）のようにスイッチベース１の短手方向一側面から突出したボス部１Ｆは、本レバースイッチＬＳを基板等に取り付ける際に、その基板等の取付け孔に圧入されるものである。
【００２０】
＜トップケースの詳細構成＞
図５はトップケースの詳細図である。前記トップケース２は、図５（ａ）のように天板部２０１とその左右に一体形成された一対の側板部２０２とからなり、図５（ｂ）（ｃ）のように天板部２０１にその表裏面を貫通する所定長のスリット孔２００を形成した構造になっている。
【００２１】
図５（ｄ）（ｅ）（ｆ）のように、トップケース２の両側板部２０２には係合孔２Ａが設けられており、この係合孔２Ａを前記スイッチベース１の係合突起１Ｅに嵌め込むことによって、トップケース２はスイッチベース１の凹部１Ａ上面にワンタッチで着脱可能に取り付け固定されるようになっている（図１参照）。
【００２２】
また、図５（ａ）（ｆ）のように、トップケース２の天板部２０１裏側には半円弧形状のカムガイド２Ｂが設けられている。このカムガイド２Ｂは、トップケース２の天板部２０１裏側に形成された凸部２Ｃの先端を円弧状に切り欠き形成したもので、本レバースイッチＬＳでは、このカムガイド２Ｂに後述する断面半月形状の押圧カム部４１の円弧面が摺接することによって、押圧カム部４１の回転動作およびレバー４の傾倒動作を安定させるようにしている。
【００２３】
＜第１及び第２のスイッチ部の詳細構成＞
前記第１及び第２のスイッチ部３Ａ、３Ｂは、図２（ｃ）（ｄ）に示したように、両スイッチ部３Ａ、３Ｂで共通に使用する共通接点５（図４参照）を前記凹部１Ａの内底面に備えている。
【００２４】
さらに、両スイッチ部３Ａ、３Ｂは、それぞれのスイッチ部３Ａ、３Ｂごとに、前記トップケース２のスリット孔２００（図５（ｂ）参照）の長手方向に沿って前記共通接点５の両側に一つずつ配置した２つの個別接点６１、６２、６３、６４（図３（ｂ）および図４参照）と、図２（ｃ）（ｄ）のように、これらの接点５、６１〜６４上に配置した接点ブラシ７Ａ、７Ｂとを有している。
【００２５】
両スイッチ部３Ａ、３Ｂの共通接点５と個別接点６１〜６４は、それぞれの接点に個別に一体成形した配線部８、９１、９２、９３、９４（図３（ａ）（ｃ）を参照）を介して図示しない外部回路に接続することができる。また、これらの接点５、６１〜６４は、スイッチベース１を樹脂成形する際に、インサート成形によって凹部１Ａの内底面に設けることができる。
【００２６】
両スイッチ部３Ａ、３Ｂの接点ブラシ７Ａ、７Ｂは、図２（ｃ）（ｄ）のように同一の構造であって、バネ性のある細長の金属片を略逆三角形状に折り曲げ、その逆三角形状の底辺部７００が前記スリット孔２００の方向を向くように設置してなるとともに、その逆三角形状の他の二辺部７０１が前記凹部１Ａの内底面上で交差し、この交差する二辺部７０１の両端を２つの可動接点７１、７２、７３、７４とするものである。また、これらの可動接点７１〜７４は、半円弧状に丸く成形することで、共通接点５や個別接点６１〜６４上を滑りやすくなるようにしている。
【００２７】
以上の構成からなる第１及び第２のスイッチ部３Ａ、３Ｂにおいて、共通接点５からそれぞれの個別接点６１〜６４までの接点間距離Ｌ１、Ｌ２は、図４のように、第１のスイッチ部３Ａの接点間距離Ｌ１の方が短く、第２のスイッチ部３Ｂの接点間距離Ｌ２の方が長くなるように設けている（Ｌ１＜Ｌ２）。
【００２８】
これにより、本レバースイッチＬＳでは、各スイッチ部３Ａ、３Ｂにおける一方の可動接点７１、７３が共通接点５から同時に外れてそれぞれのスイッチ部３Ａ、３Ｂにおける一方の個別接点６１、６３に向ってスライドしたときに、最初に、接点間距離（Ｌ１）が短い第１のスイッチ部３Ａにおける一方の可動接点７１が同スイッチ部３Ａの一方の個別接点６１に接触し、これに遅れて、接点間距離（Ｌ２）が長い第２のスイッチ部３Ｂにおける一方の可動接点７３が同スイッチ部３Ｂの一方の個別接点６３に接触するようになっている。
【００２９】
各スイッチ部３Ａ、３Ｂにおける他方の可動接点７２、７４が共通接点５から同時に外れてそれぞれのスイッチ部３Ａ、３Ｂにおける他方の個別接点６２、６４に向ってスライドする場合も同様である。すなわち、接点間距離（Ｌ１）が短い第１のスイッチ部３Ａにおける他方の可動接点７２が同スイッチ部３Ａの他方の個別接点６２に接触し、これに遅れて、接点間距離（Ｌ２）が長い第２のスイッチ部３Ｂにおける他方の可動接点７４が同スイッチ部３Ｂの他方の個別接点６４に接触するようになっている。
【００３０】
＜レバーの詳細構成＞
図６は前記レバー４の説明図である。レバー４は、そのレバー上端が図２（ｃ）（ｄ）のようにトップケース２のスリット孔２００（図５（ｂ）を参照）から外部に突出し、そのレバー下端側に、スイッチベース１の凹部１Ａ内の軸受溝１Ｃで支持される軸部４０と、各スイッチ部３Ａ、３Ｂの接点ブラシ７Ａ、７Ｂの底辺部７００に当接する押圧カム部４１とを備えるとともに、前記軸部４０を支点として前記スリット孔２００の長手方向に傾倒可能に設けられている。
【００３１】
レバー４の軸部４０は、断面半月形状で、押圧カム部４１の下部に設けられていて、その半月の円弧面側が前記軸受溝１Ｃに係合するようになっている。
【００３２】
レバー４の押圧カム部４１は、断面半月形状であって、その半月のフラット部４Ａが図２（ｃ）（ｄ）のように接点ブラシ７Ａ、７Ｂの底辺部４００に当接し、該半月の円弧部４Ｂとフラット部４Ａとの境である肩部４Ｃで接点ブラシ７Ａ、７Ｂの底辺部７００片側を押圧できるように構成してある。
【００３３】
＜レバースイッチの動作説明＞
次に、前記の如く構成されたレバースイッチＬＳの動作について図７と図８を基に説明する。
【００３４】
レバー４を傾倒させる方向の外力（矢印Ｌ又はＲで示す方向の力）が該レバー４に作用していないとき、レバー４は図７（ａ１）（ａ２）のように起立した姿勢になっている。このとき、レバー４の押圧カム部４１はどの方向にも傾くことなく、接点ブラシ７Ａ、７Ｂの底辺部７００表面に当接しており、また接点ブラシ７Ａ、７Ｂは弾性変形しておらず、第１及び第２のスイッチ部３Ａ、３Ｂにおける可動接点７１〜７４は、いずれも共通接点５に接触している。
【００３５】
従って、レバー４が起立した姿勢にあるとき、第１及び第２のスイッチ部３Ａ、３Ｂにおける個別接点６１〜６４と共通接点５とは接点ブラシ７Ａ、７Ｂを介して導通しておらず、第１及び第２のスイッチ部３Ａ、３Ｂにおける個別接点６１〜６４は、いずれもスイッチＯＦＦ（中立）の状態になっている。
【００３６】
以上のように起立した姿勢にあるレバー４に対して、矢印Ｌ又はＲで示す方向の外力が作用すると、当該レバー４は軸部４０を支点としてその方向に傾倒する。例えば、矢印Ｌで示す方向の外力で当該レバー４を左に倒したら、その傾倒角度分だけレバー４と押圧カム部４１は図７（ｂ１）（ｂ２）のようにレバー４の傾倒方向（左側）に傾く。
【００３７】
前記のような左側へのレバー４の傾倒によって、第１及び第２のスイッチ部３Ａ、３Ｂにおける接点ブラシ７Ａ、７Ｂの底辺部７００片側は、図７（ｂ１）（ｂ２）のように左側に傾く押圧カム部４１の左側の肩部４Ｃで同時に押圧されて下降するとともに、この下降に追従・連動して、各スイッチ部３Ａ、３Ｂにおける右側の可動接点７１、７３は、共通接点５から同時に外れ、それぞれのスイッチ部３Ａ、３Ｂにおける右側の個別接点６１、６３に向ってスライドしていく。
【００３８】
そして、前記のような右側の可動接点７１、７３のスライドにより、最初に、接点間距離（Ｌ１）の短い第１のスイッチ部３Ａにおける右側の可動接点７１が、図７（ｂ１）のように同スイッチ部３Ａの右側の個別接点６１に接触する（先行接触動作）。そして、レバー４を更に左側へ倒すことにより、前記先行接触動作に遅れて、接点間距離（Ｌ２）の長い第２のスイッチ部３Ｂにおける右側の可動接点７３が、図７（ｃ２）のように同スイッチ部３Ｂの右側の個別接点６３に接触する（遅延接触動作）。
【００３９】
前記のような先行接触動作によって、第１のスイッチ部３Ａにおける右側の個別接点６１と共通接点５とが接点ブラシ７Ａを介して導通し、同スイッチ部３Ａにおける右側の個別接点６１がスイッチＯＮの状態になる（図７（ｂ１）参照）。
【００４０】
このとき、第２のスイッチ部３Ｂにおける右側の可動接点７３は同スイッチ部３Ｂにおける右側の個別接点６３に接触していない（図７（ｂ２）参照）。このため、先行接触動作の段階では、第２のスイッチ部３Ｂにおける右側の個別接点６３と共通接点５とは接点ブラシ７Ｂを介して導通しておらず、同スイッチ部３Ｂにおける右側の個別接点６３はスイッチＯＦＦ（中立）の状態である。また、第１及び第２のスイッチ部３Ａ、３Ｂにおける左側の個別接点６２、６４は、いずれも共通接点５に接触した状態を維持することで、スイッチＯＦＦの状態である。
【００４１】
前記のような遅延接触動作によって、第２のスイッチ部３Ｂにおける右側の個別接点６３と共通接点５とが接点ブラシ７Ｂを介して導通し、同スイッチ部３Ｂにおける右側の個別接点６３がスイッチＯＮの状態になる（図７（ｃ２）参照）。
【００４２】
このとき、前述した先行接触動作の状態は維持される（図７（ｃ１）参照）。従って、遅延接触動作の段階では、第１のスイッチ部３Ａにおける右側の個別接点６１と、第２のスイッチ部３Ｂにおける右側の個別接点６３とが、双方ともスイッチＯＮの状態になる（図７（ｃ１）（ｃ２）参照）。また、第１及び第２のスイッチ部３Ａ、３Ｂにおける左側の個別接点６２、６４は、いずれもスイッチＯＦＦ（中立）の状態である。
【００４３】
なお、図７（ｂ１）では、レバー４が左側に２５度まで傾いたときに、第１のスイッチ部３Ａにおける右側の個別接点６１がスイッチＯＮの状態になり、図７（ｃ２）では、更に当該レバー４が左側に４２度まで傾いたときに、第２のスイッチ部３Ｂにおける右側の個別接点６３がスイッチＯＮの状態になるように構成しているが、そのレバー４の傾倒角度は２５度や４２度に限定されることはなく、必要に応じて適宜変更することができる。また、レバー４は図８（ｄ１）（ｄ２）のように左側に最大で６５度まで傾倒させることができ、右側へのレバー４の傾倒も同様であるが、このようなレバー４の最大傾倒角度も必要に応じて適宜変更することができる。
【００４４】
ところで、前記のようにレバー４に作用している矢印Ｌ方向の力が解除されると、それぞれの接点ブラシ７Ａ、７Ｂのバネ性に基づく復元力によって、それまで下降していた接点ブラシ７Ａ、７Ｂの底辺部７００片側（左側）が元の位置まで上昇する。そして、この上昇に追従・連動して、両スイッチ部３Ａ、３Ｂにおける右側の可動接点７１、７３は右側の個別接点６１、６３から外れて、共通接点５に接触する。
【００４５】
以上のようにして右側の可動接点７１、７３が元の位置（共通接点５の位置）まで戻ることによって、前述した第１及び第２のスイッチ部３Ａ、３Ｂにおける右側の個別接点６１、６３と共通接点５との導通は断たれ、両スイッチ部３Ａ、３Ｂにおける右側の個別接点６１、６３はスイッチＯＦＦ（中立）の状態になる。
【００４６】
図７（ａ）（ｂ）のように起立した姿勢にあるレバー４を矢印Ｒ方向の外力で右側に倒した場合は、前述のようにレバー４が左側に倒れた場合と同様の動作によって、最初に、接点間距離（Ｌ１）が短い第１のスイッチ部３Ａにおける左側の可動接点７２が同スイッチ部３Ａの左側の個別接点６２に接触（先行接触動作）することでスイッチＯＮの状態になる。そして、これに遅れて、接点間距離（Ｌ２）が長い第２のスイッチ部３Ｂにおける左側の可動接点７４が同スイッチ部３Ｂの左側の個別接点６４に接触（遅延接触動作）することでスイッチＯＮの状態になる。また、前記のようにレバー４に作用している矢印Ｒ方向の力が解除されると、先に説明した矢印Ｌ方向の力が解除された場合と同様の動作で、両スイッチ部３Ａ、３Ｂにおける左側の個別接点６２、４４は、いずれもスイッチＯＦＦ（中立）の状態になる。
【００４７】
＜レバースイッチの利用例＞
本レバースイッチＬＳの利用例としては、例えばデジタル一眼レフカメラやデジタルビデオカメラのズーム操作スイッチとして利用する例が考えられる。
【００４８】
前記利用例においては、例えば、本レバースイッチＬＳのレバー４を左側へ少し傾倒させることによって第１のスイッチ部３Ａにおける右側の個別接点６１だけがスイッチＯＮになったら、そのＯＮ信号に基づいて低速度でズームアップし、当該レバー４を更に左側へ深く傾倒させることによって第２のスイッチ部３Ｂにおける右側の個別接点６３もスイッチＯＮになったら、そのＯＮ信号に基づいて高速度でズームアップするなど、左方向へのレバー４の傾倒操作によりズームアップ速度の二段切換えを行うことができる。
【００４９】
また、当該レバー４を右側へ少し傾倒させることによって第１のスイッチ部３Ａにおける左側の個別接点６２だけがスイッチＯＮになったら、そのＯＮ信号に基づいて低速度でズームダウンし、当該レバー４を更に右側へ深く傾倒させることによって第２のスイッチ部３Ｂにおける左側の個別接点６４もスイッチＯＮになったら、そのＯＮ信号に基づいて高速度でズームアウトするなど、右方向へレバー４の傾倒操作によりズームダウン速度の二段切換えを行うことができる。
【００５０】
以上説明した実施形態のレバースイッチＬＳにあっては、その具体的構成として、共通接点５から個別接点６１、６２までの接点間距離（Ｌ１）が短い第１のスイッチ部３Ａと、その接点間距離（Ｌ２）が長い第２のスイッチ部３Ｂとを設けるとともに、レバー４を一の方向へ傾倒させたら、最初に、接点間距離（Ｌ１）の短い第１のスイッチ部３Ａにおける一方の可動接点７１が同スイッチ部３Ａの一方の個別接点６１に接触（先行接触動作）することによって、その個別接点６１が同スイッチ部３Ａの接点ブラシ７Ａを介して共通接点５に導通してスイッチＯＮの状態になる。そして、これに遅れて、接点間距離（Ｌ２）の長い第２のスイッチ部３Ｂにおける一方の可動接点７３が同スイッチ部３Ｂの一方の個別接点６３に接触（遅延接触動作）することによって、その個別接点６３が同スイッチ部３Ｂの接点ブラシ７Ｂを介して共通接点５に導通してスイッチＯＮの状態になる。このため、一の方向へのレバー４の傾倒によって２回のスイッチＯＮ状態が得られるから、一方向へのレバー４の傾倒操作によって先に説明したズーム速度などの処理動作の二段切換えを行うことが可能である。
【符号の説明】
【００５１】
１  スイッチベース
１Ａ  凹部
１Ｂ  仕切り壁
１Ｃ  軸受溝
１Ｄ  ストッパ溝
１Ｅ  係合突起
１Ｆ  ボス部
２  トップケース
２Ａ  係合孔
２Ｂ  カムガイド
２Ｃ  トップケースの凸部
２００  スリット孔
２０１  トップケースの天板部
２０２  トップケースの側板部
３Ａ  第１のスイッチ部
３Ｂ  第２のスイッチ部
４  レバー
４０  レバーの軸部
４１  レバーの押圧カム部
４Ａ  押圧カム部のフラット部
４Ｂ  押圧カム部の円弧部
４Ｃ  押圧カム部の肩部
５  共通接点
６１、６２  第１のスイッチ部の個別接点
６３、６４  第２のスイッチ部の個別接点
７Ａ  第１のスイッチ部の接点ブラシ
７Ｂ  第２のスイッチ部の接点ブラシ
７００  接点ブラシの底辺部
７１、７２  第１のスイッチ部の可動接点
７３、７４  第２のスイッチ部の可動接点
８、９１、９２、９３、９４  配線部
ＬＳ  レバースイッチ
Ｌ１、Ｌ２  接点間距離
【図１】
2011086550.tif 000003
【図２】
2011086550.tif 000004
【図３】
2011086550.tif 000005
【図４】
2011086550.tif 000006
【図５】
2011086550.tif 000007
【図６】
2011086550.tif 000008
【図７】
2011086550.tif 000009
【図８】
2011086550.tif 000010